(57)【要約】【課題】用紙の搬送に関する音を録音する場合に、用紙ごとに対応させて搬送モードと動作モードを変更することができる印刷装置を提供する。【解決手段】印刷装置の読取手段は、用紙を読み取り、判定手段は、前記用紙に印刷されているコード情報を判定し、変更手段は、前記コード情報に応じて搬送モードと動作モードを変更し、搬送手段は、前記変更手段により搬送モードと動作モードが変更された後、前記用紙の搬送を開始し、録音手段は、前記用紙の搬送に関する音を録音する。【選択図】図１
2020040783.tif 000002
【特許請求の範囲】
【請求項１】
用紙を読み取る読取手段と、
前記用紙に印刷されているコード情報を判定する判定手段と、
前記コード情報に応じて搬送モードと動作モードを変更する変更手段と、
前記変更手段により搬送モードと動作モードが変更された後、前記用紙の搬送を開始する搬送手段と、
前記用紙の搬送に関する音を録音する録音手段
を有する印刷装置。
【請求項２】
前記変更手段は、前記用紙の搬送が終了したことを検知すると、搬送モードと動作モードを変更前に戻す、
請求項１に記載の印刷装置。
【請求項３】
前記録音手段は、前記コード情報に応じて用紙搬送開始後、予め定められた期間内で録音を実行する、
請求項１に記載の印刷装置。
【請求項４】
前記録音手段は、前記コード情報に応じて搬送経路上の予め定められた位置における録音を実行する、
請求項１に記載の印刷装置。
【請求項５】
前記コード情報には、搬送モードと動作モードが記録されており、
前記変更手段は、前記コード情報内の搬送モードと動作モードに変更する、
請求項１に記載の印刷装置。
【請求項６】
用紙の識別情報と対応させて搬送モードと動作モードの情報を記憶する記憶手段
をさらに有し、
前記コード情報には、用紙の識別情報が記録されており、
前記変更手段は、前記記憶手段を用いて、前記用紙の識別情報に対応するコード情報内の搬送モードと動作モードに変更する、
請求項１に記載の印刷装置。
【請求項７】
前記用紙は、１枚の用紙内で厚さ、硬さ、表面の滑らかさのいずれか１つ以上が異なる部分を有しており、
前記コード情報内の用紙の識別情報は、前記異なる部分の位置を特定できるものである、
請求項６に記載の印刷装置。
【請求項８】
前記変更手段は、前記異なる部分の位置に応じて録音開始と録音終了の時間を決定する、
請求項７に記載の印刷装置。
【請求項９】
前記用紙における厚さ、硬さ、表面の滑らかさのいずれか１つ以上が異なる部分の長さは、搬送経路上の部品の大きさに応じて設定されており、
前記変更手段は、前記部分の長さに応じて、前記録音手段に、前記部品における録音を実行させる、
請求項８に記載の印刷装置。
【請求項１０】
用紙を読み取る読取手段と、
前記用紙の搬送を行う搬送手段と、
前記用紙の搬送に関する音を録音する録音手段
を有するコンピュータを、
前記用紙に印刷されているコード情報を判定する判定手段と、
前記コード情報に応じて搬送モードと装置の動作モードを変更する変更手段と、
前記変更手段により搬送モードと動作モードが変更された後、前記搬送手段で前記用紙の搬送を開始するよう制御する制御手段
として機能させるための印刷処理プログラム。
【発明の詳細な説明】
【技術分野】
【０００１】
本発明は、印刷装置及び印刷処理プログラムに関する。
【背景技術】
【０００２】
特許文献１には、回転するローラ間に用紙を送り込んで搬送させる際に生じる紙鳴り音の予測方法であって、前記用紙の有限要素モデルを構築し、さらに、前記用紙と同形状である薄板を用いて測定された該薄板の搬送方向の加速度に基づいて、前記ローラから前記薄板にかかる加振力を算出し、前記有限要素モデル、及び、前記ローラから前記用紙にかかる加振力として近似される前記薄板にかかる加振力を用いて振動解析を行い、さらに、紙の振動を境界条件として放射音解析を行い、単位加振力における紙鳴り音の周波数特性を算出することで、前記用紙から生じる紙鳴り音の予測を行うことが開示されている。
【０００３】
特許文献２には、用紙搬送における搬送異常の発生する位置を正確にかつ確実に判断する用紙搬送装置、用紙搬送異常検知方法を提供することを課題とし、用紙搬送経路での少なくとも一部の搬送経路範囲における搬送方向の上流側と下流側との間に、所定の間隔で配置される複数の音響電気変換器と、音響電気変換器の位置毎で、用紙搬送の正常時に発生する正常音を記憶している正常音記憶手段と、音響電気変換器の位置毎で、用紙搬送の異常時に発生する比較音を記録する比較音記録手段と、を備え、正常音記憶手段に記憶されている正常音と、比較音記録手段に記録された比較音とを比較した際の相違に基づいて、搬送経路範囲での搬送異常の位置を特定するようにした搬送異常特定手段を含む用紙搬送装置であり、用紙搬送における搬送異常の発生個所を正確にかつ確実に判断することが開示されている。
【０００４】
特許文献３には、音情報を取得する位置を特定しないで周波数解析する場合と比較して、異音の原因の特定を容易にすることを課題とし、音取得部は、解析対象の装置である画像形成装置において発生した異音を入力して音情報を取得し、受付部は、ユーザーにより音情報を取得する録音位置情報を受け付け、周波数解析部は、音取得部により取得された音情報のＳＴＦＴ（短時間フーリエ変換）を行って、周波数スペクトル波形データを生成し、制御部は、生成された周波数スペクトル波形と、サーバ装置の複数の周波数スペクタル波形の中から生成された周波数スペクトル波形に類似し、受け付けられた録音位置情報に基づいて選択されたスペクトル波形を受信することが開示されている。
【０００５】
特許文献４には、制御部と接続された印刷装置であって、用紙の識別情報と用紙属性情報とから構成される用紙情報を保持する記憶手段と、前記制御部から送信された識別情報に対応する用紙情報に含まれる用紙属性情報に基づいて当該用紙情報に対する代替用紙情報を前記記憶手段に保持された用紙情報から特定する特定手段と、前記特定手段によって特定された代替用紙情報に含まれる識別情報を代替識別情報として前記制御部へ送信する送信手段とを備えたことが開示されている。
【０００６】
特許文献５には、用紙の使用可否判定に用いる用紙情報を検出する際、用紙の搬送を必要とせず、且つ判定に用いる用紙の情報として紙サイズ以外の情報を検出できるよう性能を高めることを課題とし、使用を予定する用紙を原稿読取装置の載置台に置いた状態で用紙から用紙属性としての長さ、幅をスキャナによって、又、厚さ、材質（紙種）をメディアセンサで検出し、これらの用紙属性の検出値が適正な動作が得られる所定の範囲の値に該当するか、即ち、許容範囲内であるか否かを判定し、用紙属性の検出値が全て許容範囲内であれば、操作部を通してユーザーに使用可能表示をし、他方、用紙属性の検出値のいずれか一つでも許容範囲内でなければ、使用不可表示をすることが開示されている。
【先行技術文献】
【特許文献】
【０００７】
【特許文献１】特許第４２３７５９０号公報
【特許文献２】特開２００９−２４９０４６号公報
【特許文献３】特許第５９３９４８０号公報
【特許文献４】特許第４９４４６３０号公報
【特許文献５】特開２０１３−０６４９２５号公報
【発明の概要】
【発明が解決しようとする課題】
【０００８】
用紙搬送時の異音を低減するために、実験等においてその異音を録音する必要がある。その異音は、定着温度等を設定する動作モード、両面印刷又は片面印刷等における搬送経路によって異なることが予想される。一方、用紙の種類、属性を認識して、印刷における動作モードを変更することが行われている。しかし、用紙ごとに対応させて、動作モードと搬送経路を変更することはできない。
本発明は、用紙の搬送に関する音を録音する場合に、用紙ごとに対応させて搬送モードと動作モードを変更することができる印刷装置及び印刷処理プログラムを提供することを目的としている。
【課題を解決するための手段】
【０００９】
かかる目的を達成するための本発明の要旨とするところは、次の各項の発明に存する。
請求項１の発明は、用紙を読み取る読取手段と、前記用紙に印刷されているコード情報を判定する判定手段と、前記コード情報に応じて搬送モードと動作モードを変更する変更手段と、前記変更手段により搬送モードと動作モードが変更された後、前記用紙の搬送を開始する搬送手段と、前記用紙の搬送に関する音を録音する録音手段を有する印刷装置である。
【００１０】
請求項２の発明は、前記変更手段は、前記用紙の搬送が終了したことを検知すると、搬送モードと動作モードを変更前に戻す、請求項１に記載の印刷装置である。
【００１１】
請求項３の発明は、前記録音手段は、前記コード情報に応じて用紙搬送開始後、予め定められた期間内で録音を実行する、請求項１に記載の印刷装置である。
【００１２】
請求項４の発明は、前記録音手段は、前記コード情報に応じて搬送経路上の予め定められた位置における録音を実行する、請求項１に記載の印刷装置である。
【００１３】
請求項５の発明は、前記コード情報には、搬送モードと動作モードが記録されており、前記変更手段は、前記コード情報内の搬送モードと動作モードに変更する、請求項１に記載の印刷装置である。
【００１４】
請求項６の発明は、用紙の識別情報と対応させて搬送モードと動作モードの情報を記憶する記憶手段をさらに有し、前記コード情報には、用紙の識別情報が記録されており、前記変更手段は、前記記憶手段を用いて、前記用紙の識別情報に対応するコード情報内の搬送モードと動作モードに変更する、請求項１に記載の印刷装置である。
【００１５】
請求項７の発明は、前記用紙は、１枚の用紙内で厚さ、硬さ、表面の滑らかさのいずれか１つ以上が異なる部分を有しており、前記コード情報内の用紙の識別情報は、前記異なる部分の位置を特定できるものである、請求項６に記載の印刷装置である。
【００１６】
請求項８の発明は、前記変更手段は、前記異なる部分の位置に応じて録音開始と録音終了の時間を決定する、請求項７に記載の印刷装置である。
【００１７】
請求項９の発明は、前記用紙における厚さ、硬さ、表面の滑らかさのいずれか１つ以上が異なる部分の長さは、搬送経路上の部品の大きさに応じて設定されており、前記変更手段は、前記部分の長さに応じて、前記録音手段に、前記部品における録音を実行させる、請求項８に記載の印刷装置である。
【００１８】
請求項１０の発明は、用紙を読み取る読取手段と、前記用紙の搬送を行う搬送手段と、前記用紙の搬送に関する音を録音する録音手段を有するコンピュータを、前記用紙に印刷されているコード情報を判定する判定手段と、前記コード情報に応じて搬送モードと装置の動作モードを変更する変更手段と、前記変更手段により搬送モードと動作モードが変更された後、前記搬送手段で前記用紙の搬送を開始するよう制御する制御手段として機能させるための印刷処理プログラムである。
【発明の効果】
【００１９】
請求項１の印刷装置によれば、用紙の搬送に関する音を録音する場合に、用紙ごとに対応させて搬送モードと動作モードを変更することができる。
【００２０】
請求項２の印刷装置によれば、録音用の搬送が終了した場合は、搬送モードと動作モードを変更前の状態に戻すことができる。
【００２１】
請求項３の印刷装置によれば、コード情報によって、録音の期間を調整することができる。
【００２２】
請求項４の印刷装置によれば、コード情報によって、搬送経路上の予め定められた位置での録音をすることができる。
【００２３】
請求項５の印刷装置によれば、コード情報によって、搬送モードと動作モードを変更することができる。
【００２４】
請求項６の印刷装置によれば、用紙の識別情報によって、搬送モードと動作モードに変更することができる。
【００２５】
請求項７の印刷装置によれば、厚さ、硬さ、表面の滑らかさのいずれか１つ以上が異なる部分を有している用紙を対象として、用紙の識別情報によって、異なる部分の位置を特定できるようにすることができる。
【００２６】
請求項８の印刷装置によれば、異なる部分の位置に応じて、録音する期間を決定することができる。
【００２７】
請求項９の印刷装置によれば、用紙内の異なる部分の長さに応じて、対象とした部品における録音を実行することができる。
【００２８】
請求項１０の印刷処理プログラムによれば、用紙の搬送に関する音を録音する場合に、用紙ごとに対応させて搬送モードと動作モードを変更することができる。
【図面の簡単な説明】
【００２９】
【図１】本実施の形態の構成例についての概念的なモジュール構成図である。
【図２】本実施の形態を利用したシステム構成例を示す説明図である。
【図３】本実施の形態が対象とする用紙搬送音検査用紙の構成例を示す説明図である。
【図４】本実施の形態が対象とする用紙搬送音検査用紙の構成例を示す説明図である。
【図５】本実施の形態による処理例を示すフローチャートである。
【図６】本実施の形態による処理例を示す説明図である。
【図７】本実施の形態が対象とする用紙搬送音検査用紙の構成例を示す説明図である。
【図８】本実施の形態による処理例を示す説明図である。
【図９】本実施の形態による処理例を示すフローチャートである。
【図１０】用紙ＩＤ・搬送モードと動作モード対応テーブルのデータ構造例を示す説明図である。
【図１１】本実施の形態を実現するコンピュータのハードウェア構成例を示すブロック図である。
【発明を実施するための形態】
【００３０】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスクドライブ、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００３１】
本実施の形態である印刷装置１００は、図１の例に示すように、読取モジュール１０５、制御モジュール１１０、画像形成モジュール１３０、録音モジュール１４０を有している。特に、印刷装置１００における用紙搬送音（特に、異音）の検査機能を有するものである。
印刷装置１００の印刷方式としては、電子写真方式、インクジェット方式、オフセット印刷等のいずれであってもよく、用紙が搬送されて印刷されるものであればよい。
【００３２】
読取モジュール１０５は、搬送モジュール１３５によって搬送される用紙を読み取る。ここでの用紙は、画像が形成される印刷媒体であって、素材は問わない。例えば、用紙として、従前の記録紙（紙）に限られず、合成樹脂等の（透明）フィルムであってもよい。また、読み取り領域は、用紙全体であってもよいが、少なくとも、用紙に印刷されているコード情報が含まれていればよい。また、読み取るタイミングは、用紙が搬送されているとき（一般的には、搬送の開始時）に読み取ってもよいし、「給紙手段」（シートフィーダー、給紙トレイ、用紙トレイ、給紙カセット、デッキ、手差しトレイ等といわれるものを含む）に格納されている用紙を読み取るようにしてもよい。
【００３３】
制御モジュール１１０は、判定モジュール１１５、変更モジュール１２０、記憶モジュール１２５を有している。制御モジュール１１０は、搬送モジュール１３５、録音モジュール１４０を制御して、印刷される用紙が搬送されているときの音を録音させる。
判定モジュール１１５は、読取モジュール１０５によって読み取られた用紙に印刷されているコード情報を判定する。
ここで「コード情報」とは、機械可読な態様で電子データを表すために体系的に作られた画像コードをいい、具体的には、１次元バーコード、２次元コード等がある。特に、最近は、２次元コードとして、ＱＲコード（Ｑｕｉｃｋ  Ｒｅｓｐｏｎｓｅ  ｃｏｄｅ：登録商標）が用いられており、本実施の形態においてもこのＱＲコードを例示する。
また、このコード情報には、搬送モードと動作モードが記録されていてもよいし、用紙の識別情報が記録されていてもよい。
【００３４】
変更モジュール１２０は、判定モジュール１１５によって判定されたコード情報に応じて、搬送モードと動作モードを変更する。
ここで「搬送モード」とは、搬送経路又は搬送速度を指定する設定である。搬送経路として、例えば、両面印刷の搬送経路、片面印刷の搬送経路、給紙手段からの搬送経路、手差し用紙の搬送経路等がある。さらに、搬送経路には、印刷過程における搬送経路だけでなく、後処理装置（ソーター、パンチ穴あけ機、ステイプル機、紙折り（折り加工）機等）における搬送経路を含めてもよい。
また、「動作モード」とは、帯電、露光、現像、転写、定着等のプロセスにおける状態を制御する設定をいい、具体的には、電圧、定着温度等の設定がある。
また、変更モジュール１２０は、用紙の搬送が終了したことを検知した場合、搬送モードと動作モードを変更前に戻すようにしてもよい。変更前の搬送モードと動作モードは、通常、印刷装置１００における印刷における搬送モードと動作モードである。つまり、用紙の搬送に関する録音を終了したので、通常の印刷モードに戻っている。
また、コード情報に、搬送モードと動作モードが記録されている場合は、変更モジュール１２０は、そのコード情報内の搬送モードと動作モードに変更するようにしてもよい。
【００３５】
記憶モジュール１２５は、用紙の識別情報と対応させて搬送モードと動作モードの情報を記憶する。つまり、用紙の識別情報が定まると、搬送モードと動作モードも定まるようになっているデータ構造であればよい。例えば、用紙ＩＤ・搬送モードと動作モード対応テーブル１０００を記憶している。図１０は、用紙ＩＤ・搬送モードと動作モード対応テーブル１０００のデータ構造例を示す説明図である。
図１０（ａ）の例に示す用紙ＩＤ・搬送モードと動作モード対応テーブル１０００ａは、用紙ＩＤ欄１０１０ａ、搬送モード欄１０２０ａ、動作モード欄１０３０ａを有している。用紙ＩＤ・搬送モードと動作モード対応テーブル１０００ａの用紙ＩＤ欄１０１０ａは、本実施の形態において、用紙を一意に識別するための情報（用紙ＩＤ：ＩＤｅｎｔｉｆｉｃａｔｉｏｎ）を記憶している。搬送モード欄１０２０ａは、その用紙ＩＤの用紙を搬送する場合の搬送モードを記憶している。動作モード欄１０３０ａは、その用紙ＩＤの用紙を搬送する場合の動作モードを記憶している。
図１０（ｂ）の例に示す用紙ＩＤ・搬送モードと動作モード対応テーブル１０００ｂは、用紙ＩＤ欄１０１０ｂ、搬送モード欄１０２０ｂ、動作モード欄１０３０ｂ、音採取開始時欄１０４０ｂ、音採取終了時欄１０５０ｂを有している。用紙ＩＤ・搬送モードと動作モード対応テーブル１０００ｂの用紙ＩＤ欄１０１０ｂ、搬送モード欄１０２０ｂ、動作モード欄１０３０ｂは、それぞれ用紙ＩＤ・搬送モードと動作モード対応テーブル１０００ａの用紙ＩＤ欄１０１０ａ、搬送モード欄１０２０ａ、動作モード欄１０３０ａと同様である。音採取開始時欄１０４０ｂは、音採取の開始時（搬送開始時からの経過時間）を記憶している。音採取終了時欄１０５０ｂは、音採取の終了時（搬送開始時からの経過時間）を記憶している。
図１０（ｃ）の例に示す用紙ＩＤ・搬送モードと動作モード対応テーブル１０００ｃは、用紙ＩＤ欄１０１０ｃ、搬送モード欄１０２０ｃ、動作モード欄１０３０ｃ、指定部品（動作マイク）欄１０４０ｃを有している。用紙ＩＤ・搬送モードと動作モード対応テーブル１０００ｃの用紙ＩＤ欄１０１０ｃ、搬送モード欄１０２０ｃ、動作モード欄１０３０ｃは、それぞれ用紙ＩＤ・搬送モードと動作モード対応テーブル１０００ａの用紙ＩＤ欄１０１０ａ、搬送モード欄１０２０ａ、動作モード欄１０３０ａと同様である。指定部品（動作マイク）欄１０４０ｃは、音採取の対象となる部品（又は音採取させるマイク）を記憶している。
【００３６】
図１０（ａ）の例では、用紙ＩＤ：１は、搬送モードとして「両面印刷」を、動作モードとして「定着温度：Ｘ度」を設定することを示しており、用紙ＩＤ：２は、搬送モードとして「片面印刷」を、動作モードとして「定着温度：Ｙ度」を設定することを示しており、用紙ＩＤ：３は、搬送モードとして「手差し印刷」を、動作モードとして「定着温度：Ｚ度」を設定することを示している。
図１０（ｂ）の例では、図１０（ａ）の例に加えて、音採取の期間（予め定められた期間の一例）が定められており、用紙ＩＤ：１は、ａ１秒からａ２秒までの期間に音採取を行うことを示しており、用紙ＩＤ：２は、ｂ１秒からｂ２秒までの期間に音採取を行うことを示しており、用紙ＩＤ：３は、ｃ１秒からｃ２秒までの期間に音採取を行うことを示している。
図１０（ｃ）の例では、図１０（ａ）の例に加えて、音採取を行う部品（搬送経路上の予め定められた位置の一例であり、動作するマイク２４０の指定でもよい）が定められており、用紙ＩＤ：１は、歯車Ａの音採取を行うことを示しており、用紙ＩＤ：２は、歯車Ｂの音採取を行うことを示しており、用紙ＩＤ：３は、歯車Ｃの音採取を行うことを示している。
【００３７】
そして、コード情報に、用紙の識別情報が記録されている場合は、変更モジュール１２０は、記憶モジュール１２５を用いて、用紙の識別情報に対応するコード情報内の搬送モードと動作モードに変更するようにしてもよい。
【００３８】
また、用紙が、１枚の用紙内で厚さ、硬さ、表面の滑らかさのいずれか１つ以上が異なる部分を有している場合、コード情報内の用紙の識別情報は、その異なる部分の位置を特定できるものとしてもよい。
そして、変更モジュール１２０は、その異なる部分の位置に応じて録音開始と録音終了の時間を決定するようにしてもよい。
【００３９】
また、用紙における厚さ、硬さ、表面の滑らかさのいずれか１つ以上が異なる部分の長さ（幅）は、搬送経路上の部品の大きさに応じて設定されていてもよい。
その場合、変更モジュール１２０は、その部分の長さに応じて、部品における録音を実行させるようにしてもよい。
ここで「搬送経路上の部品」として、例えば、歯車等がある。「部品の大きさ」として、例えば、歯車の場合は歯車が１回転分の距離をいう。この場合、用紙上の厚さ等が異なる部分は、歯車の１回転分の距離以上の長さ（具体的には、用紙搬送方向の長さ）がある。
録音対象としている部品における録音について、その部品に対応する用紙上の厚さ等が異なる部分が通過する期間、録音を行えばよい。なお、その期間だけ録音する（他の期間は録音しない）ようにしてもよいし、その期間を含めて録音し（他の期間における録音が含まれる）、その録音データから用紙上の対象としている部分が通過する期間における音データを抽出するようにしてもよい。
【００４０】
画像形成モジュール１３０は、搬送モジュール１３５を有している。画像形成モジュール１３０は、印刷装置１００における主要な機能である画像形成処理を行う。
搬送モジュール１３５は、変更モジュール１２０により搬送モードと動作モードが変更された後、読取モジュール１０５によって読み取られた用紙の搬送を開始する。
【００４１】
録音モジュール１４０は、用紙の搬送に関する音を録音する。具体的には、マイクであり、搬送経路上に備え付けられている。
また、録音モジュール１４０は、コード情報に応じて用紙搬送開始後、予め定められた期間内で録音を実行するようにしてもよい。つまり、「予め定められた期間」は、録音開始から録音終了までを指定するものである。例えば、給紙手段から用紙が搬送された時からの秒数で指定するようにしてもよいし、搬送経路上のある地点に用紙が到達した時からの秒数で指定するようにしてもよい。
また、録音モジュール１４０は、コード情報に応じて搬送経路上の予め定められた位置における録音を実行するようにしてもよい。つまり、特定個所における異音のみを対象として録音することを可能とし、搬送経路上の他の箇所での録音を不要とするものである。例えば、定着部分の音だけ取りたい場合、用紙が定着器付近を通過する期間だけ録音する等がある。
【００４２】
図２は、本実施の形態を利用したシステム構成例を示す説明図である。
印刷装置１００は、センサー２０５、給紙手段２１０、両面ユニット２２０、歯車Ａ：２２５、用紙搬送経路２３０、マイク２４０（マイク２４０ａ、マイク２４０ｂ、マイク２４０ｃ、マイク２４０ｄ、マイク２４０ｅ、マイク２４０ｆ）を有している。
印刷装置１００は、具体的には、プリンタ、複写機、ファックス、複合機（スキャナ、プリンタ、複写機、ファックス等のいずれか２つ以上の機能を有している画像処理装置）等である。
【００４３】
印刷装置１００は、例えば、スキャナ部、レーザ露光部、感光ドラム、作像部、定着部、給紙／搬送部（搬送モジュール１３５）、プリンタ制御部等から構成される。以下に示すような印刷処理を行う。
スキャナ部は、原稿台に置かれた原稿に対して、照明を当てて原稿画像を光学的に読み取り、その像を電気信号に変換して画像データを作成する。
レーザ露光部は、印刷対象である画像データに応じて変調されたレーザ光などの光線を等角速度で回転する回転多面鏡（ポリゴンミラー）に入射させ、反射走査光として感光ドラムに照射する。
作像部は、感光ドラムを回転駆動し、帯電器によって帯電させ、レーザ露光部によって感光ドラム上に形成された潜像をトナーによって現像する。そして、作像部は、そのトナー像を用紙に転写し、その際に転写されずに感光ドラム上に残った微小トナーを回収する一連の電子写真プロセスを、４連の現像ユニット（現像ステーション）にて実現している。シアン（Ｃ）、マゼンタ（Ｍ）、イエロー（Ｙ）、ブラック（Ｋ）の順に並べられた４連の現像ユニットは、シアンステーションの作像開始から所定時間経過後に、マゼンタ、イエロー、ブラックの作像動作を順次実行する。このタイミング制御によって、用紙上に色ずれのない、フルカラートナー像が転写される。
定着部は、ローラやベルトの組み合わせによって構成され、ハロゲンヒータ等の熱源を内蔵し、作像部によってトナー像が転写された用紙上のトナーを、熱と圧力によって溶解、定着する。
給紙／搬送部は、給紙手段を一つ以上持っており、プリンタ制御部の指示に応じて給紙手段に収納された複数の用紙の中から一枚分離し、作像部・定着部へ搬送する。
給紙／搬送部は、用紙を搬送し、前述の現像ステーションによって、各色のトナー像が転写され、最終的にフルカラートナー像が用紙上に形成される。また、用紙の両面に画像形成する場合、給紙／搬送部は、定着部を通過した用紙を再度作像部へ搬送する搬送経路を通るように制御する。
プリンタ制御部は、印刷装置１００全体を制御する制御部と通信して、印刷を制御すると共に、前述のスキャナ、レーザ露光、作像、定着、給紙／搬送の各部の状態を管理しながら、全体が調和を保って円滑に動作できるよう指示する。
定着部を通過した用紙は、搬送経路上の画像読み取りセンサー部を通り、この画像読み取りセンサー部で印字された画像データが読み取られる。読み取られた画像データは、出力画像の濃度測定や出力画像に異常がないかどうかを確認する検品等に使用される。
【００４４】
例えば、図２に示すように、給紙手段２１０内の１枚の用紙が取り出され、用紙搬送経路２３０上を搬送されることによって、前述した印刷処理が行われる。そして、用紙搬送経路２３０の最初の箇所にセンサー２０５（読取モジュール１０５の一例）が設置され、用紙搬送経路２３０上に複数のマイク２４０（録音モジュール１４０の一例）が設置されている。
【００４５】
用紙の搬送時の異音には、用紙が大きく影響していることが知られている。用紙の厚さ、硬さ、表面の滑らかさによって、搬送経路における各部品への圧力や摩擦が変わる。本実施の形態は、ここに着目し、１枚の用紙内で厚さ、硬さ、表面の滑らかさを変えることで、用紙搬送経路２３０上の異音を再現させるようにしている。
図３に、用紙搬送音検査用紙３００の例を示す。１枚の用紙内で厚さ、硬さ、表面の滑らかさの異なる部分を用紙搬送方向３９０に対して垂直に配置する。具体的には、用紙搬送音検査用紙３００は、元用紙部分３０５、異用紙部分（厚さ）３１０、元用紙部分３１５、異用紙部分（硬さ）３２０、元用紙部分３２５、異用紙部分（表面の滑らかさ）３３０、元用紙部分３３５、異用紙部分（材質）３４０、元用紙部分３４５を有している。なお、元用紙部分３０５、元用紙部分３１５、元用紙部分３２５、元用紙部分３３５、元用紙部分３４５は、元の１枚の用紙の部分であり、もちろんのことながら、厚さ、硬さ、表面の滑らかさは同じである。異用紙部分（厚さ）３１０、異用紙部分（硬さ）３２０、異用紙部分（表面の滑らかさ）３３０、異用紙部分（材質）３４０は、他の用紙を貼り付けたものである。異用紙部分（厚さ）３１０は、元の用紙と同じ用紙を切り分けて貼り付けた部分であり、その分厚みが厚くなっている。異用紙部分（厚さ）３１０において、硬さ、表面の滑らかさは同じである。異用紙部分（硬さ）３２０は、元の用紙とは硬さが異なる用紙を切り分けて貼り付けた部分であり、元用紙部分３０５等とは硬さが異なっている。異用紙部分（表面の滑らかさ）３３０は、元の用紙とは表面の滑らかさが異なる用紙を切り分けて貼り付けた部分であり、元用紙部分３０５等とは表面の滑らかさが異なっている。異用紙部分（材質）３４０は、元の用紙とは材質が異なる用紙を切り分けて貼り付けた部分であり、元用紙部分３０５等とは材質が異なっている。
そして、用紙搬送音検査用紙３００の先頭部分にコード情報３５０が印刷されている。コード情報３５０内には、搬送モードと動作モードが記録されていてもよいし、用紙ＩＤが記録されていてもよい。センサー２０５が、コード情報３５０を読み取って、そのコード情報３５０に記録されている情報を抽出し、その情報にしたがって、搬送経路等の搬送モードと定着温度等の動作モードが決定され、それにしたがって、用紙搬送音検査用紙３００が用紙搬送経路２３０上を搬送され、そのときの音が各マイク２４０によって録音される。
【００４６】
例えば、用紙搬送経路に負荷をかけるには厚紙を使用することが考えられるが、厚紙を使用した場合、厚紙の衝突音によって採取したい異音がとれない可能性がある。同様に、用紙搬送音検査用紙３００の先頭に厚紙（例えば、異用紙部分（厚さ）３１０）を配置してしまうと、同様のことが起こりえる。そこで、用紙搬送音検査用紙３００の先頭部分は厚紙とならないようにするのが好ましい。
用紙搬送音検査用紙３００を使用することで、厚紙を用いた場合に比べて衝突音による邪魔を減少させ、様々な条件の音を採取することができるため、異音の再現性が向上する。また、部品毎の用紙搬送音検査用紙を作成し、検査対象部品を用紙搬送音検査用紙が通過する間のみ音を採取することで、異音発生源の特定が容易となる。
【００４７】
また、この用紙搬送音検査用紙は、用紙搬送経路２３０の検査したい部品毎に作成し、検査対象の部品を示す情報をコード情報として付加するようにしてもよい。例えば、用紙搬送経路２３０上の歯車Ａ：２２５の部分について、用紙の厚さを変えることで負荷をかけ検査したい場合がある。その場合、図４の例に示すように、用紙搬送音検査用紙４００内に、歯車Ａ：２２５の１回転より太い（長い）幅４８０の厚さの異なる部分（異用紙部分（厚さ）４１０、異用紙部分（厚さ）４２０、異用紙部分（厚さ）４３０、異用紙部分（厚さ）４４０）を生成しておく。そして、用紙搬送音検査用紙４００の用紙ＩＤ（つまり、検査対象が歯車Ａ：２２５であることを示している）が記録されているコード情報４５０を、用紙搬送音検査用紙４００に印刷しておく。
【００４８】
図５は、本実施の形態による処理例を示すフローチャートである。
ステップＳ５００では、用紙搬送音検査モードを開始する。
ステップＳ５０２では、定着器の温度を下げる。
ステップＳ５０４では、給紙手段のセンサーで用紙搬送音検査用紙３００のコード情報３５０を取得する。
【００４９】
ステップＳ５０６では、用紙搬送音検査用紙３００のコード情報３５０が有るか否かを判断し、有る場合はステップＳ５０８へ進み、それ以外の場合はステップＳ５２２へ進む。
ステップＳ５０８では、コード情報３５０を解析し、コード情報３５０に指定された部品が動作するモード（搬送モードと動作モード）に変更する。
ステップＳ５１０では、白紙印刷を開始する（つまり、用紙搬送音検査用紙３００の搬送を開始し、用紙搬送音検査用紙３００への印刷は行わない）。
【００５０】
ステップＳ５１２では、用紙搬送音検査用紙３００が指定された部品まで搬送されたか否かを判断し、搬送された場合はステップＳ５１４へ進み、それ以外の場合は搬送されるまで待機する。具体的には、コード情報３５０の解析結果から、音採取開始時になったか否か、又は、用紙が対象部品に到達したか否かで判断すればよい。
ステップＳ５１４では、音採取を開始する。
ステップＳ５１６では、用紙搬送音検査用紙３００が指定された部品を通過したか否かを判断し、通過した場合はステップＳ５１８へ進み、それ以外の場合は通過するまで待機（音採取を継続）する。具体的には、コード情報３５０の解析結果から、音採取終了時になったか否か、又は、用紙が対象部品を通過したか否かで判断すればよい。
【００５１】
ステップＳ５１８では、音採取を終了する。
ステップＳ５２０では、白紙印刷を終了（用紙搬送音検査用紙３００を排出）する。この後、ステップＳ５０８で変更された搬送モードと動作モードを元（変更前の状態）に戻すようにしてもよい。
ステップＳ５２２では、ユーザーインタフェースに給紙手段に用紙搬送音検査用紙３００を入れるように指示する。
ステップＳ５９９では、用紙搬送音検査を完了する。
【００５２】
図４の例に示した用紙搬送音検査用紙４００を対象とした場合の処理例を説明する。
用紙搬送音検査モードが選択されると、定着器の温度を下げ（ステップＳ５０２）、給紙手段に取り付けられているセンサー２０５でコード情報４５０を読み取る（ステップＳ５０４）。コード情報４５０が無い場合は、ユーザーインタフェースに給紙手段に用紙搬送音検査用紙４００を入れるよう指示し（ステップＳ５２２）、終了する。
そして、用紙搬送音検査モードでコード情報４５０が読み取られると、そのコード情報４５０を解析し、コード情報４５０に指定された部品が動作するモード（搬送モード、動作モード）に変更する（ステップＳ５０８）。例えば、図２に示す両面ユニット２２０内の歯車Ａ：２２５が用紙搬送音検査用紙４００の対象部品だった場合は、両面印刷モードにし、そのための定着温度等を設定する。次に、白紙印刷を行う（ステップＳ５１０）。用紙搬送音検査用紙４００が検査対象部品（歯車Ａ：２２５）まで搬送されると、マイク２４０ｆでの音採取を開始し（ステップＳ５１４）、用紙搬送音検査用紙４００が検査対象部品（歯車Ａ：２２５）を通過すると、マイク２４０ｆでの音採取を終了する（ステップＳ５１８）。
【００５３】
図６は、本実施の形態による処理例を示す説明図である。
横軸に、用紙搬送音検査用紙４００が給紙手段２１０から取り出された時からの経過時間を示し、縦軸に、その時間で発生した音（マイク２４０ｆで録音した音）の周波数の値を示している。このグラフの注目範囲６１０では、異用紙部分（厚さ）４１０、異用紙部分（厚さ）４２０、異用紙部分（厚さ）４３０、異用紙部分（厚さ）４４０が、歯車Ａ：２２５を通過すると異音が周期的に（異用紙部分（厚さ）４１０と異用紙部分（厚さ）４２０の通過間隔で）発生していることを示している。
【００５４】
図７は、本実施の形態が対象とする用紙搬送音検査用紙７００の構成例を示す説明図である。
用紙搬送音検査用紙７００は、元用紙部分７０２、異用紙部分（厚さ）７０４、元用紙部分７０６、異用紙部分（厚さ）７０８、元用紙部分７１０、異用紙部分（厚さ）７１２、元用紙部分７１４、異用紙部分（厚さ）７１６、元用紙部分７１８、異用紙部分（厚さ）７２０、元用紙部分７２２、異用紙部分（厚さ）７２４、元用紙部分７２６、異用紙部分（厚さ）７２８、元用紙部分７３０、異用紙部分（厚さ）７３２、元用紙部分７３４を有しており、用紙搬送音検査用紙７００の用紙ＩＤが記録されているコード情報７５０が印刷されている。図４の例に示した用紙搬送音検査用紙４００と比べると、異用紙部分（厚さ）７０４等は、幅が狭い。
【００５５】
図８は、本実施の形態による処理例を示す説明図である。用紙搬送音検査用紙７００が用紙搬送経路２３０上のあるマイク２４０を通過した場合の音の変化を示している。横軸、縦軸は、図６の例に示したグラフと同様である。
注目範囲８１０を見ると、図７の例に示した用紙搬送音検査用紙７００の異用紙部分（異用紙部分（厚さ）７０４、異用紙部分（厚さ）７０８、異用紙部分（厚さ）７１２、異用紙部分（厚さ）７１６、異用紙部分（厚さ）７２０、異用紙部分（厚さ）７２４、異用紙部分（厚さ）７２８、異用紙部分（厚さ）７３２）が、特定のマイク２４０を通過する都度に異音が発生していることがわかる。周期的に音が変化しており、その周期は、異用紙部分（厚さ）７０４と元用紙部分７０６、異用紙部分（厚さ）７０８と元用紙部分７１０、異用紙部分（厚さ）７１２と元用紙部分７１４、異用紙部分（厚さ）７１６と元用紙部分７１８、異用紙部分（厚さ）７２０と元用紙部分７２２、異用紙部分（厚さ）７２４と元用紙部分７２６、異用紙部分（厚さ）７２８と元用紙部分７３０、異用紙部分（厚さ）７３２と元用紙部分７３４の長さの周期と一致しており、図６の例に示した注目範囲６１０内の周期よりも短いことがわかる。
【００５６】
図９は、本実施の形態による処理例を示すフローチャートである。図５の例に示した用紙搬送音検査モードではなく、一般印刷モードにおける処理例を示すものである。
ステップＳ９００では、一般印刷モードを開始する。
ステップＳ９０２では、給紙手段のセンサーで用紙搬送音検査用紙３００のコード情報３５０を取得する。
ステップＳ９０４では、用紙搬送音検査用紙３００のコード情報３５０が有るか否かを判断し、有る場合はステップＳ９０６へ進み、それ以外の場合はステップＳ９０８へ進む。
【００５７】
ステップＳ９０６では、ユーザーインタフェースにその用紙（用紙搬送音検査用紙３００）を取り除くよう指示し、ステップＳ９０２に戻る。
ステップＳ９０８では、印刷処理を行う。
ステップＳ９９９では、一般印刷を完了する。
【００５８】
一般印刷モードでも、センサー２０５によるコード情報３５０の取得は行われ（ステップＳ９０２）、コード情報３５０が取得された場合は、ユーザーインタフェースに用紙搬送音検査用紙３００を取り除くよう指示し（ステップＳ９０６）、終了する。コード情報３５０が無ければ、通常の印刷処理が行われる（ステップＳ９０８）。これによって、一般印刷モードであるにもかかわらず、用紙搬送音検査用紙３００が給紙手段に紛れ込んだ場合であっても、試験用の用紙である用紙搬送音検査用紙３００に印刷を行うことを防ぐことができるようになる。
【００５９】
図１１を参照して、本実施の形態の印刷装置１００のハードウェア構成例について説明する。図１１に示す構成は、例えばパーソナルコンピュータ（ＰＣ）等によって構成されるものであり、スキャナ等のデータ読み取り部１１１７と、プリンタ等のデータ出力部１１１８を備えたハードウェア構成例を示している。
【００６０】
ＣＰＵ（Ｃｅｎｔｒａｌ  Ｐｒｏｃｅｓｓｉｎｇ  Ｕｎｉｔ）１１０１は、前述の実施の形態において説明した各種のモジュール、すなわち、制御モジュール１１０、判定モジュール１１５、変更モジュール１２０等の各モジュールの実行シーケンスを記述したコンピュータ・プログラムにしたがった処理を実行する制御部である。
【００６１】
ＲＯＭ（Ｒｅａｄ  Ｏｎｌｙ  Ｍｅｍｏｒｙ）１１０２は、ＣＰＵ１１０１が使用するプログラムや演算パラメータ等を格納する。ＲＡＭ（Ｒａｎｄｏｍ  Ａｃｃｅｓｓ  Ｍｅｍｏｒｙ）１１０３は、ＣＰＵ１１０１の実行において使用するプログラムや、その実行において適宜変化するパラメータ等を格納する。これらはＣＰＵバス等から構成されるホストバス１１０４により相互に接続されている。
【００６２】
ホストバス１１０４は、ブリッジ１１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１１０６に接続されている。
【００６３】
キーボード１１０８、マウス等のポインティングデバイス１１０９は、操作者により操作されるデバイスである。ディスプレイ１１１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１１０９とディスプレイ１１１０の両方の機能を備えているタッチスクリーン等であってもよい。その場合、キーボードの機能の実現について、キーボード１１０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００６４】
ＨＤＤ（Ｈａｒｄ  Ｄｉｓｋ  Ｄｒｉｖｅ）１１１１は、ハードディスク（フラッシュ・メモリ等であってもよい）を内蔵し、ハードディスクを駆動し、ＣＰＵ１１０１によって実行するプログラムや情報を記録又は再生させる。ＨＤＤ１１１１は、記憶モジュール１２５等としての機能を実現させる。さらに、その他の各種データ、各種コンピュータ・プログラム等が格納される。
【００６５】
ドライブ１１１２は、装着されている磁気ディスク、光ディスク、光磁気ディスク、又は半導体メモリ等のリムーバブル記録媒体１１１３に記録されているデータ又はプログラムを読み出して、そのデータ又はプログラムを、インタフェース１１０７、外部バス１１０６、ブリッジ１１０５、及びホストバス１１０４を介して接続されているＲＡＭ１１０３に供給する。なお、リムーバブル記録媒体１１１３も、データ記録領域として利用可能である。
【００６６】
接続ポート１１１４は、外部接続機器１１１５を接続するポートであり、ＵＳＢ、ＩＥＥＥ１３９４等の接続部を持つ。接続ポート１１１４は、インタフェース１１０７、及び外部バス１１０６、ブリッジ１１０５、ホストバス１１０４等を介してＣＰＵ１１０１等に接続されている。通信部１１１６は、通信回線に接続され、外部とのデータ通信処理を実行する。データ読み取り部１１１７は、例えばスキャナであり、ドキュメントの読み取り処理を実行する。データ出力部１１１８は、例えばプリンタであり、ドキュメントデータの出力処理を実行する。
【００６７】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１１に示す印刷装置１００のハードウェア構成は、１つの構成例を示すものであり、本実施の形態は、図１１に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）や再構成可能な集積回路（ｆｉｅｌｄ−ｐｒｏｇｒａｍｍａｂｌｅ  ｇａｔｅ  ａｒｒａｙ：ＦＰＧＡ）等）で構成してもよく、一部のモジュールは外部のシステム内にあり通信回線で接続している形態でもよく、さらに図１１に示すシステムが複数互いに通信回線によって接続されていて互いに協調動作するようにしてもよい。
【００６８】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６９】
１００…印刷装置
１０５…読取モジュール
１１０…制御モジュール
１１５…判定モジュール
１２０…変更モジュール
１２５…記憶モジュール
１３０…画像形成モジュール
１３５…搬送モジュール
１４０…録音モジュール
２０５…センサー
２１０…給紙手段
２２０…両面ユニット
２２５…歯車Ａ
２３０…用紙搬送経路
２４０…マイク
【図１】
2020040783.tif 000003
【図２】
2020040783.tif 000004
【図３】
2020040783.tif 000005
【図４】
2020040783.tif 000006
【図５】
2020040783.tif 000007
【図６】
2020040783.tif 000008
【図７】
2020040783.tif 000009
【図８】
2020040783.tif 000010
【図９】
2020040783.tif 000011
【図１０】
2020040783.tif 000012
【図１１】
2020040783.tif 000013